(57)【要約】      （修正有）【課題】トイレ室の障害者用小便器と一般用小便器を、人の通行に支障なく、他人に気兼ねなく、使用することができる胸当てが付いた小便器として提供する。【解決手段】小便器１使用時に胸を当てる胸当て部２１、小便器に連結する取付け部２３、および胸当て部２１と取付け部２３とを連結する連結部２２とで構成する胸当てユニット２を小便器１上部に取り付けることで、通行に支障がなく、安全に使用できる胸当てユニット付き小便器とする。【選択図】図１
2015080665.tif 000002
【特許請求の範囲】
【請求項１】
小便器使用時に体を支え楽な姿勢が取れる胸当てユニットを小便器上部に備えたことを特徴とする胸当てユニット付き小便器。
【請求項２】
前記小便器は、上部に胸当てユニットを連結固定するメネジ付き接続部を有することを特徴とする請求項１記載の胸当てユニット付き小便器。
【請求項３】
前記胸当てユニットは、胸当て部と、連結部と、取付部とで構成することを特徴とする請求項１記載の胸当てユニット付き小便器。
【発明の詳細な説明】
【技術分野】
【０００１】
本発明は、男子用トイレに設置する小便器に関するものである。
【背景技術】
【０００２】
トイレ室は、一般者用小便器と障害者用小便器を設置している。障害者用小便器は、入口に近い場所で体を支え、安全に使用できる手すりを壁面に設置している。前記手すりは、小便器の左右壁面に取付け、両側の手すり間を壁面に平行連結し、側面手すりと前方手すりで体を支えられる構造である（特許文献１参照）。  
【先行技術文献】
【特許文献】
【０００３】
【特許文献１】特許第４９４７４１７号公報
【発明の概要】
【発明が解決しようとする課題】
【０００４】
以上に述べた障害者用小便器は、壁面取付けの手すりで体を支え安全に使用できることを目的としている。高齢者、一般者は壁面に平行の手すりに胸を当て、楽な姿勢で使用出来ることを認識しているが、障害者対応とする壁面取付けの手すり付き小便器を自由に使用しにくい。トイレ室の人の移動に支障がなく、使用者が他人に気兼ねなく、体を支え楽な姿勢で使用することが出来る小便器を設置することが課題である。
【課題を解決するための手段】
【０００５】
本発明は、小便器より前方の高位置に配置する胸当てユニットを小便器上部に装備することで、高齢者、一般者が他人に気兼ねなく体を支え楽な姿勢で使用できる胸当てユニット付き小便器であり、
前記小便器上部は、左右に胸当てユニットを連結固定するメネジ付き接続部を有し、
前記胸当てユニットは、胸当て部と、連結部と、取付部とで構成することを特徴とする。
【発明の効果】
【０００６】
上述したようには、トイレ室内に本発明の胸当てユニット付き小便器を設置することで、高齢者、一般者が他人に気兼ねなく、胸当てユニットに胸を当て楽な姿勢で使用でき、また手すりとして利用できる。
【図面の簡単な説明】
【０００７】
【図１】本図は、小便器上部に胸当てユニットの取付けを示す一例である。
【発明を実施するための形態】
【０００８】
以下本発明の形態を図１に基づいて説明する。
【０００９】
図において、高齢者、一般者が楽な姿勢で使用できる小便器を示し、小便器１の上部左右に胸当てユニット２を連結固定するメネジ付き接続部１１を設ける。胸当て部２１と、連結部２２と、取付け部２３とで構成した胸当てユニット２を小便器１の上部に配置し、取付具３で小便器本体１と胸当てユニット２とを連結固定する。
【符号の説明】
【００１０】
１  小便器
１１  メネジ付き接続部
２  胸当てユニット
２１  胸当て部
２２  連結部
２３  取付け部
３  取付具
【図１】
2015080665.tif 000003
【手続補正書】
【提出日】平成26年12月8日(2014.12.8)
【手続補正１】
【補正対象書類名】明細書
【補正対象項目名】全文
【補正方法】変更
【補正の内容】
【発明の詳細な説明】
【技術分野】
【０００１】
本発明は、男子用トイレに設置する小便器に関するものである。
【背景技術】
【０００２】
トイレ室は、一般者小便器と障害者用小便器を設置している。障害者用小便器は、入口に近い場所で体を支え、安全に使用できる手すりを壁面に設置している。前記手すりは、小便器の左右壁面に取り付けた側面手すりと、両側面手すり間を壁面に平行連結した前方手すりで体を支える構造（特許文献１参照）である。高齢者、一般者には障害者対応とする壁面取り付けの手すり付き障害者用小便器を自由に使用しにくい。また壁面に取り付けた側面手すりが、人の通行に支障が生じる。
【先行技術文献】
【特許文献】
【０００３】
【特許文献１】特許第４９４７４１７号公報
【発明の概要】
【発明が解決しようとする課題】
【０００４】
トイレ室内の小便器を一般用小便器と障害者用小便器を区別することなく、自由に選択でき、人の通行に支障なく、胸を当て、安全に使用できる胸を当てられる小便器にすることが課題である。
【課題を解決するための手段】
【０００５】
本発明は、小便器と、前記小便器上部に配置され、使用時に胸を当てる胸当て部と、前記胸当て部に連結する連結部と、前記連結部と連結する取付け部とで構成する胸当てユニットであって、前記小便器の上部に取付け具で連結する胸当てユニット付き小便器とする。
【発明の効果】
【０００６】
トイレ室内の小便器を本発明の胸当てユニット付き小便器にすることで、高齢者、一般者および障害者が、自由に選択でき、通行に支障なく、胸を当て、安全に使用できる。
【図面の簡単な説明】
【０００７】
【図１】本図は、胸当てユニット付き小便器の構成を示す構成図である。
【発明を実施するための形態】
【０００８】
以下本発明の形態を図１に基づいて説明する。
【０００９】
図において、小便器（１）と、前記小便器（１）上部に配置され、かつ、使用時に胸を当てる胸当て部（２１）と、前記小便器（１）上部に配置され、かつ、前記胸当て部（２１）に連結する連結部（２２）と、前記小便器（１）上部に配置され、かつ、前記連結部（２２）と連結する取付け部（２３）とで連結構成する胸当てユニット（２）であって、前記小便器（１）の上部左右に、前記胸当てユニット（２）の取付け部（２３）は、取付け具（３）で前記小便器（１）に連結し、その位置に固定することで、前記胸当てユニット（２）を前記小便器（１）上部に固定する胸当てユニット付き小便器とする。

【符号の説明】
【００１０】
１  小便器
１１  連結穴
２  胸当てユニット
２１  胸当て部
２２  連結部
２３  取付け部
３  取付け具
【手続補正２】
【補正対象書類名】特許請求の範囲
【補正対象項目名】全文
【補正方法】変更
【補正の内容】
【特許請求の範囲】
【請求項１】
小便器と、前記小便器上部に配置され、かつ、使用時に胸を当てる胸当て部と、
前記小便器上部に配置され、かつ、前記胸当て部に連結する連結部と、前記小便器
上部に配置され、かつ、前記連結部と連結する取付け部とで連結構成する胸当てユニットであって、前記小便器の上部左右に配置する前記胸当てユニットの取付け部は、
取付け具で、前記小便器に連結し、その位置に固定することで、前記胸当てユニットを前記小便器上部に固定することを特徴とする胸当てユニット付き小便器。
【請求項２】
前記小便器は、小便器上部側面に連結穴を有することを特徴とする請求項１記載の
胸当てユニット付き小便器。
【請求項３】
前記胸当てユニットは、使用者が胸を当てる胸当て部、胸当て部を小便器上部に
配置する連結部、小便器に連結する取付け部で構成することを特徴とする請求項１
記載の胸当てユニット付き小便器。
【手続補正４】
【補正対象書類名】図面
【補正対象項目名】図１
【補正方法】変更
【補正の内容】
【図１】
2015080665.tif 000004